(57)【要約】      （修正有）【課題】墓誌の石板の安全、そして簡便な着脱や運搬作業の実現と、数多くの故人の存在を想定した字彫り表記スペースの確保が、見やすさと石材の重厚さを損なうことなく形成された墓誌をして提供する。【解決手段】長尺の台座石１と、本体形状が正八角柱の一対の柱石２と、着脱や運搬作業時に手の指を入れて支持するための穴３ｄを設けた薄手の石板３と、正面と背面の両面に墓誌の表題等の表記スペース４ｄを設けた笠石４の全五部材で構成され、石板３は台座石１の上面の中央部に形成された嵌合穴１ｂを通じて固着せずに立設し、その石板３の長手方向の両側から間隙を設けて挟み込む柱石２が、台座石１の上面に形成された嵌合穴１ａを通じて固着して立設すると共に、笠石４の下面に形成された嵌合穴を通じて、笠石４を石板３と柱石２に固着せずに連結させている。【選択図】図１
0003159340.tif 000002
【実用新案登録請求の範囲】
【請求項１】
長尺の台座石１と、その台座石１上に左右に離れて立設する本体形状が正八角柱の一対の柱石２と、その柱石２との間に間隙２ｃを設けて立設する石板３と、その石板３及び前記柱石２の上に連結した屋根となる笠石４からなり、前記台座石１の上面に前記柱石２を固着して立設させための二箇所の嵌合穴１ａと、その嵌合穴１ａの間に前記石板３を固着せずに立設させるための嵌合穴１ｂが、それぞれ離れて形成され、前記笠石４の下面に前記柱石２と固着せずに連結させるための二箇所の嵌合穴４ｂと、その嵌合穴４ｂの間に前記石板３と固着せずに連結させるための嵌合穴４ｃが、それぞれ離れて形成されていることを特徴とする墓誌。
【請求項２】
前記柱石２本体の正八角柱の八面の内の二面を正面と平行にして立設し、その柱石２本体の上面と下面に形成された嵌合のための突起部２ｂと突起部２ａの形状が、その柱石２本体の上面と下面の正八角形の対角線の交点をそれぞれ結んだ中心線を軸とする円柱、もしくはその中心線を共通の中心線とする正八角柱か正四角柱であり、前記石板３本体の上面と下面に嵌合のための突起部３ｃと突起部３ｂが形成され、その石板３本体の厚みが立設した前記柱石２本体の正八角柱の一面の幅以下で、立設したその石板３本体の正面上部に穴３ｄを設け、前記笠石４の正面と背面の両面に、墓誌の表題等を記すための表記スペース４ｄが設けられていることを特徴とする、請求項１に記載の墓誌。
【考案の詳細な説明】
【技術分野】
【０００１】
本考案は、墓石脇等に設置され、主に故人の戒名や法名をはじめ、俗名、行年等の文字を刻み、表記することを目的とした石板を備えた墓誌に関するものである。
【背景技術】
【０００２】
従来、普及タイプの墓誌は、故人の戒名や法名をはじめ、俗名、行年等の文字を刻む石板がかなり厚手の重量物であるため、大変取り扱い難いものであった。
【０００３】
そのため、特に新たな字彫り加工作業の発生時等を想定し、より軽量化した石板を用いた構成の墓誌が考案されている（例えば、特許文献１参照）。
【先行技術文献】
【特許文献】
【０００４】
【特許文献１】実公平３−１８５９２号公報
【考案の概要】
【考案が解決しようとする課題】
【０００５】
ところが、軽量化した石板といっても元来比重の重い石材であり、更に通常表面が光沢のある本磨きで仕上げられている石板は、石材の専門業者にとっても取り扱いには細心の注意を要し、雨水で濡れたりすれば表面が更に滑り易くなるためなおさらである。新たな字彫り加工作業の発生時やその他の場面で、石の取り扱いに不慣れな一般人が、何の取っ手もないその様な石板を、経費削減等のために自ら石材加工場等へ運搬したり動かす場合、手から滑らせて石板を傷付けたり割ったり、或は石板を手や足の上に落としたりして怪我をする恐れも十分考えられる。
【０００６】
また墓石脇等に設置される墓誌は、墓地のスペースの制限等の理由もあり、墓石本体正面とは直角の方向をその正面として近接配置することが多いのであるが、その場合台座石の上に立設した薄手の石板は、それを両側から挟み込む位置に立設した柱石の形状によっては、特に柱石側に表記された石板の文字等は大変見え辛くなるという現象が生じている。
【０００７】
本考案は、前記の問題点の解決を主眼としたものであるが、それのみに止まらず、墓誌の石板への字彫り位置の的確な判断基準の現出や、石材特有の色目や柄の不均質さや傷等の意匠上での欠点の軽減、更に多数の故人の存在を想定した字彫り表記スペースの確保等の実現にも波及させる中で、機能と精神の両面からの受容を期待できる形状を有した墓誌として提供することを課題とする。
【課題を解決するための手段】
【０００８】
前記の課題を解決するために、本考案の墓誌は、長尺の台座石と、その台座石上に左右に離れて立設する本体形状が正八角柱の一対の柱石と、その柱石との間に間隙を設けて立設する石板と、その石板及び前記柱石の上に連結した屋根となる笠石からなり、前記台座石の上面に前記柱石を固着して立設させるための二箇所の嵌合穴と、その嵌合穴の間に前記石板を固着せずに立設させるための嵌合穴が、それぞれ離れて形成され、前記笠石の下面に前記柱石と固着せずに連結させるための二箇所の嵌合穴と、その嵌合穴の間に前記石板と固着せずに連結させるための嵌合穴が、それぞれ離れて形成されていることを、第一の特徴とする。
【０００９】
また本考案の墓誌は、前記第一の特徴に加えて、前記柱石本体の正八角柱の八面の内の二面を正面と平行にして立設し、その柱石本体の上面と下面に形成されたそれぞれの突起部の形状が、その柱石本体の上面と下面の正八角形の対角線の交点をそれぞれ結んだ中心線を軸とする円柱、もしくはその中心線を共通の中心線とする正八角柱か正四角柱であり、前記石板本体の上面と下面に嵌合のための突起部３ｃと突起部３ｂが形成され、その石板３本体の厚みが立設した前記柱石本体の正八角柱の一面の幅以下で、立設したその石板本体の正面上部に穴を設け、前記笠石の正面と背面の両面に、墓誌の表題等を記すための表記スペースが設けられていることを、第二の特徴とする。
【考案の効果】
【００１０】
本考案によれば、第一に、石板への字彫り加工作業の発生時等で石板を動かす必要が生じた場合であっても、柱石と石板との間に設けた擦れ防止のための間隙の存在や、柱石や石板に固着せずに連結された笠石の着脱自在な状況の下に、石板においては本体の正面上部に加工された穴に手の指を差入れて支持することで、石材特有の重量や滑り易い表面仕上げの石板であっても、石の取り扱いに不慣れな一般の大人の男性が、石板の表面を傷付けることなく一人で着脱や運搬作業を安全、そして簡便に実行することを可能にするものである。
【００１１】
第二に、墓誌正面が墓石本体の正面と直角、或いはそれに近い角度で近接配置されたような場合等であっても、立設した柱石の本体形状が正八角柱であるため、本体形状が四角柱や円柱等の場合に比べて、薄手である石板の正面及び背面を視界に捉えるための目線位置の制限を、より縮小することを可能にするものである。
【００１２】
第三に、立設した石板本体の正面上部の水平方向に一定の間隔で複数くり貫かれた穴を、故人それぞれの字彫り位置の的確な判断基準とすることで、新たな故人の字彫り加工作業の発生時においても、迷うことなくその石板上に整然と表記することを可能にするものである。
【００１３】
第四に、柱石と石板とは直接の連結を必要とせず、また立設したその柱石の本体形状は正八角柱で、しかもその上面と下面に形成した嵌合のための突起部の形状が、円柱もしくは正八角柱か正四角柱であるため、石材特有の色目や柄の不均質さや傷等が、もしもその柱石本体の表面に生じたとしても、全く同形状である一対のその柱石の位置交換や、立設したその柱石の水平方向の回転による調節により、意匠的に問題のある柱石本体の面をあまり目立たなくさせることを可能にするものである。
【００１４】
第五に、墓誌全体を通じて正面側と背面側は全く同じかほぼ同じ立体形状で形成され、しかも立設した石板は、表裏の入れ替えが未来の世代交代時に限らず任意の時期に自在に行えるため、多数の故人の存在による石板の表裏両面への字彫り表記が、石材の重厚さと家系の一体感を損なうことのない厚みと大きさを備えた一枚の石板という状況下で抵抗なく実施でき、またその石板本体の正面上部にくり貫かれた穴を故人一人一人に配することで、穴を故人の霊魂と見立て、或いは穴を家の窓として捉え、そして石板と柱石を隔てる間隙を絵の額縁と考えれば、それらから射し込む太陽の光と通り抜ける風は、正に石板の荘厳さを演出することにもなり、故人に対する畏敬の念と家系の重みを、将来に亘って墓誌からも感じられることを可能にするものである。
【図面の簡単な説明】
【００１５】
図面は、本考案の実施形態を示す墓誌の一例について表記したものである。
【図１】墓誌の分解斜視図である。
【図２】墓誌の全体斜視図である。
【図３】墓誌の正面図、及び背面図である。
【図４】図３のＡ−Ａ断面図である。
【図５】図３のＢ−Ｂ断面図である。
【図６】図３のＣ−Ｃ断面図である。
【図７】笠石の平面図である。
【図８】笠石の底面図である。
【考案を実施するための形態】
【００１６】
墓誌は、長尺の台座石１と、その台座石１の正面と背面を分割するセンターライン上を、本体形状が正八角柱の一対の柱石２が正面に向かって左右に離れ、且つその正八角柱の八面の内の任意の二面を正面と平行にして、また本体の厚みが柱石２の正八角柱の一面の幅と同程度の一枚の石板３が前記センターライン上の中央付近で、一対の柱石２との間にそれぞれが同じ幅で等間隔の間隙２ｃを設けて立設し、更に柱石２と石板３の上部に屋根となる長尺の笠石４を連結することで構成され、墓誌全体を通じて正面側と背面側は全く同じ立体形状で形成されている。
【００１７】
墓誌を構成する台座石１と一対の柱石２と石板３と笠石４の全部材は、風化に対して耐久性のある花崗岩等の種類の石材が用いられる。
【００１８】
台座石１の上面には、前記センターライン上に柱石２の下面の突起部２ａを受け入れるための二箇所の円柱形状の嵌合穴１ａと、石板３の下面の突起部３ｂを受け入れるための直方体形状の嵌合穴１ｂが、それぞれ離れて形成されている。
【００１９】
柱石２の上面と下面に形成された嵌合のための突起部２ｂと突起部２ａの形状は、柱石２本体の上面と下面の正八角形の対角線の交点をそれぞれ結んだ中心線を軸とする円柱で、その円周は柱石２本体の正八角形の外周より全周的に小さい大きさである。
【００２０】
石板３の上面と下面に形成された嵌合のための突起部３ｃと突起部３ｂの形状は直方体で、その外周は石板３本体の外周より全周的に小さい大きさであり、また石板３が柱石２との直接の連結なしで、短過ぎない前記突起部３ｂの長さの確保と、開け過ぎない台座石１の嵌合穴１ｂと前記突起部３ｂとの間の正面側と背面側のそれぞれの間隙の幅によって、笠石４との連結に頼ることなく石板３単独で台座石１上に固着せずに立設することを実現するものである。
【００２１】
石板３本体の正面上部には、一般的な大人の男性の手の人差し指一本が余裕を持って挿入できる程度の大きさで、立面形状が円形の穴３ｄが水平方向に六箇所配されており、まず両端の二箇所の穴３ｄが石板３本体の左右両側面からそれぞれ同じ距離を置いて配された間に、残りの四箇所の穴３ｄが等間隔で配されてそれぞれくり貫かれている。
【００２２】
笠石４の下面には、笠石４の正面と背面を分割するセンターライン上に、柱石２の上面の突起部２ｂを受け入れるための二箇所の円柱形状の嵌合穴４ｂと、石板３の上面の突起部３ｃを受け入れるための直方体形状の嵌合穴４ｃが、それぞれ離れて形成されている。
【００２３】
笠石４の正面と背面のそれぞれの中央部には、墓誌の表題等を記すための表記スペース４ｄが、全く同じ立体形状で形成されている部分のそれぞれの前面にある。
【実施例】
【００２４】
墓誌の組み立ては、まず任意の設置場所で台座石１を安定した下地の上に据え付け、次に台座石１の上面の二箇所の嵌合穴１ａの壁面等に、固着させるための石材用の接着剤等を適宜の量塗布した後に、二本の柱石２の下面の突起部２ａをそれぞれ挿入し、柱石２本体の正八角柱の八面の内の任意の二面を正面と平行にして立設させる。この時、意匠上で配慮する点は、二本の柱石２の表面に現れた石材特有の色目や柄、そして傷の有無等の状況を確認した上で、二本の柱石２の位置や柱石２本体の正八角柱の八面の位置を適切に判断して立設させることである。その後、石板３の任意の面を正面側にした上で、石板３の下面の突起部３ｂを台座石１の上面の嵌合穴１ｂに挿入し、前記接着剤等で固着させることなく立設させる。最後に、笠石４の任意の面を正面側にした上で、笠石４の下面の二箇所の嵌合穴４ｂに柱石２の上面の突起部２ｂを、そして笠石４の下面の嵌合穴４ｃに石板３の上面の突起部３ｃをそれぞれ挿入して笠石４を連結することで完成させる。
【符号の説明】
【００２５】
１    台座石
２    柱石
２ｃ  間隙
３    石板
４    笠石
４ｄ  表記スペース
【図１】
0003159340.tif 000003
【図２】
0003159340.tif 000004
【図３】
0003159340.tif 000005
【図４】
0003159340.tif 000006
【図５】
0003159340.tif 000007
【図６】
0003159340.tif 000008
【図７】
0003159340.tif 000009
【図８】
0003159340.tif 000010
【手続補正書】
【提出日】平成22年2月22日(2010.2.22)
【手続補正１】
【補正対象書類名】実用新案登録請求の範囲
【補正対象項目名】請求項２
【補正方法】変更
【補正の内容】
【請求項２】
前記柱石２本体の正八角柱の八面の内の二面を正面と平行にして立設し、その柱石２本体の上面と下面に形成された嵌合のための突起部２ｂと突起部２ａの形状が、その柱石２本体の上面と下面の正八角形の対角線の交点をそれぞれ結んだ中心線を軸とする円柱、もしくはその中心線を共通の中心線とする正八角柱か正四角柱であり、前記石板３本体の上面と下面に嵌合のための突起部３ｃと突起部３ｂが形成され、その石板３本体の厚みが立設した前記柱石２本体の正八角柱の一面の幅以下で、立設したその石板３本体の正面上部に穴３ｄを設け、前記笠石４の正面と背面の両面に、墓誌の表題や家紋を記すための表記スペース４ｄが設けられていることを特徴とする、請求項１に記載の墓誌。